(57)【特許請求の範囲】
【請求項１】
内部にランプが配設されるとともに下方を開口した器具本体と、
この器具本体の下方開口を覆う光透過性カバ−と、
この光透過性カバ−の周辺部を挟持する保持枠とを設け、
下方から上向きに挿入されて締付力を作用させる枠止め部材で前記器具本体に前記保持枠を固定する照明器具において、
前記保持枠は、
前記光透過性カバ−の周辺部下面が載置される載置面部とこの載置面部の外周縁から上方に立ち上がる外側面部とを有し、かつ、中央部が開口した外枠と、
前記光透過性カバ−の周辺部を前記外枠の載置面部とで挟持する挟持部とこの挟持部の外周縁から上方に立ち上がり前記外枠の外側面部の内面に沿って形成した内側面部とからなる内枠とからなり、
前記外枠と前記内枠とを係止部材で固定して前記光透過性カバ−を前記保持枠に取付けるとともに、
前記枠止め部材は、一方が略平坦面からなり前記内枠に当接する締付け操作用の頭部と、この頭部の略平坦面側から略垂直方向に形成した係止部とからなり、
前記外枠の載置面部と前記光透過性カバ−とに前記枠止め部材の頭部が貫通する貫通孔を設けるとともに、前記枠止め部材の係止部が係止される係止孔を前記器具本体に設け、
前記保持枠を前記器具本体に前記枠止め部材で係止させた際、前記器具本体と前記保持枠との間隔が所定間隔以上狭くなることを防止する枠位置決め部材を前記器具本体または前記保持枠に設けたことを特徴とする照明器具。
【請求項２】
前記外枠と前記内枠との間に挟持される前記光透過性カバ−にずれ防止用パッキングを介在させて前記保持枠に取付けるとともに、前記外枠の外側面部と前記内枠の内側面部とを係止部材で固定して前記光透過性カバ−を前記保持枠に取付けたことを特徴とする請求項１記載の照明器具。
【請求項３】
前記枠止め部材は、一方が略平坦面からなり前記内枠に当接する締付け操作用の頭部と、この頭部の略平坦面側から略垂直方向に軸部およびこの軸部より径大の係止部とを設け、
前記内枠に複数の引掛舌片からなる菊座状係止孔を設け、
前記枠止め部材の係止部を前記菊座状係止孔に挿通させ、前記枠止め部材の係止部を前記引掛舌片に上方から係止可能としたことを特徴とする請求項１記載の照明器具。
【発明の詳細な説明】
【０００１】
【産業上の利用分野】
本発明は、例えば、天井灯の下方に取付けられている光透過性カバ−を保持する保持枠を有する照明器具に関する。
【０００２】
【従来の技術】
従来技術について図７ないし図１０を参照して説明する。
【０００３】
図７は天井面などに設けられた照明器具用開口孔に取付けられた埋込形照明器具を示す。
【０００４】
この埋込形照明器具５０の器具本体５１の下方に形成された開口部５２には、器具本体５１に取付けられるランプ５８の光を透過する材料から出来た光透過性カバ−５３の周面部を挟持固定する保持枠５４が一方端を支点として回転支持部材６９により開閉自在に取付けられている。
【０００５】
保持枠５４は偏平で周辺部が断面略Ｌ字形をし、中央部にランプ５８の光を外部に照射する略長方形をした照射開口５７を設けた略長方状の箱形をした外枠５５とこの外枠５５の内側に取付けられている内枠５６とから構成されている。
【０００６】
さらに、外枠５５は光透過性カバ−５３の周辺部下面が載置される載置面部５９とこの載置面部５９の外周縁から上方に略Ｌ字形に形成された外側面部６０から構成されている。長手方向の他方の載置面部５９ｂには、保持枠５４を器具本体５１に取着するための取付孔６１が複数個穿設されているとともに、他方の載置面部５９ｂの角部には、上面にねじ孔６３ａが形成された略コ字状の内枠取付金具６３が複数個電気溶接などで固定して取付けられている。
【０００７】
また、器具本体５１の開口部５２の周辺部は、内方に水平状に張出した水平片部６４とこの水平片部６４の内縁から下方に略垂直方向に突出形成された立下り片部６５とが設けられている。
【０００８】
他方の長手方向に設けられている立下り片部６５ｂの外面には、断面略Ｌ字形をした枠取付金具６６が電気溶接などで固定され、この枠取付金具６６の水平片部６６ｂには、外枠５５に設けられている取付孔６１に対向した位置に枠取付ねじ６７が螺着されるねじ孔６８が複数個設けられている。
【０００９】
６９は、図８に示すように、保持枠５４の一方端を支点として開閉するヒンジからなる回転支持部材で、一方のヒンジ７０は器具本体５１の一方の水平片部６４ａに複数個電気溶接などで固定され、他方のヒンジ７１は外枠５５の長手方向の一方の外側面部６０ａの内面に一方のヒンジ７０と対向する位置に電気溶接などで固定されている。回転支持部材６９はヒンジ軸７２を一対のヒンジ７０，７１の円筒状孔（図示せず）に挿入することにより回転支持される。
【００１０】
照明器具の施工手順につき説明する。
【００１１】
最初に、保持枠５４の外枠５５の載置面部５９に光透過性カバ−５３を載置する。それから、内枠５６を外枠５５に取付けた内枠取付金具６３のねじ孔６３ａに取付ねじ７８で螺着固定して、光透過性カバ−５３の外周辺部を外枠５５の載置面部５９と内枠５６とで挟持固定する。
【００１２】
次ぎに、内枠５６の内周上面部に断面略長方形をしたリング状のゴム材料などからなるシ−ル用バッキング７７を接着材で接着固定する。
【００１３】
それから、内部に安定器などからなる点灯装置７４および対向して設けられた一対のランプソケット７５が取付けられた器具本体５１を天井面７６に設けられた開口孔７３に嵌め込み、スラブ（図示せず）に取付けられている取付ねじ（図示せず）に螺着して取付ける。
【００１４】
最後に、ヒンジ軸７２を一対のヒンジ７０，７１の円筒状孔に挿入することにより、保持枠５４を器具本体５１に回転自在に取着し、枠取付ねじ６７を外枠５５に形成した取付孔６１から挿入し、器具本体５１に取付けられている枠取付金具６６のねじ孔６８に螺着して保持枠５４を器具本体５１に固定する。
【００１５】
【発明が解決しようとする課題】
上記のように保持枠の器具本体への取付は、図９に示すように、枠取付ねじの頭部が外枠の載置面部の外面に突出しているため、照明器具の外観を損なう。
【００１６】
さらに、枠取付ねじの締付けは、図９に示すように、外枠の取付孔に挿入した枠取付ねじのねじ部と器具本体に設けられている枠取付金具のねじ孔に螺合して締付られて保持枠は器具本体に固定される。そのため、枠取付ねじを枠取付金具のねじ孔に螺合して締付けられる。
【００１７】
そこで、、枠取付金具は矢印Ａ方向（下方向）に湾曲する。このため、枠取付ねじを締付け過ぎると、外枠は矢印Ｂ方向（上方向）、即ち、外枠が凹む方向に締付力が作用するとともに、光透過性カバ−の厚み方向、即ち、光透過性カバ−に剪断力が作用する方向に締付力が作用する。
【００１８】
従って、枠取付ねじの締め過ぎにより、外枠が変形したり、光透過性カバ−に締付力が直接作用して光透過性カバ−にヒビが入ったり、割れたりなどの破損が発生する可能性がある。
【００１９】
また、光透過性カバ−の保持枠への取付けは、外枠と内枠との間に挟持させて挟持方向に取付ねじで外枠に螺合させて取付けてられている。
【００２０】
このため、照明器具が振動した際、合成樹脂などからなる光透過性カバ−は鉄板などからなる外枠と内枠との間に挟持されているのみであるので、光透過性カバ−がずれて外枠と光透過性カバ−との間に隙間が生ずる場合がある。
【００２１】
さらに、枠取付ねじは外枠の取付孔から挿入して器具本体にねじ止めする。このため、枠取付ねじを工具入れなどから取り出して器具本体に取付けるため、枠取付ねじを工具入れから取り出す際、または、器具本体にねじ止めする際、器具本体から枠取付ねじが離脱して床などに落下し紛失する場合があるなどの問題があった。
【００２２】
本発明は上記の点に鑑みてなされたもので、請求項１は照明器具の外観を損なうことがないとともに、枠止め部材の締付力が直接光透過性カバ−に加わらない照明器具を提供する。さらに、請求項２は光透過性カバ−のずれが生じない照明器具を提供する。また、請求項３は枠止め部材が離脱することがない照明器具を提供することを目的とする。
【００２３】
【課題を解決するための手段】
前記目的を達成するために、請求項１の照明器具は、内部にランプが配設されるとともに下方を開口した器具本体と、この器具本体の下方開口を覆う光透過性カバ−と、この光透過性カバ−の周辺部を挟持する保持枠とを設け、下方から上向きに挿入されて締付力を作用させる枠止め部材で前記器具本体に前記保持枠を固定する照明器具において、前記保持枠は、前記光透過性カバ−の周辺部下面が載置される載置面部とこの載置面部の外周縁から上方に立ち上がる外側面部とを有し、かつ、中央部が開口した外枠と、前記光透過性カバ−の周辺部を前記外枠の載置面部とで挟持する挟持部とこの挟持部の外周縁から上方に立ち上がり前記外枠の外側面部の内面に沿って形成した内側面部とからなる内枠とからなり、前記外枠と前記内枠とを係止部材で固定して前記光透過性カバ−を前記保持枠に取付けるとともに、前記枠止め部材は、一方が略平坦面からなり前記内枠に当接する締付け操作用の頭部と、この頭部の略平坦面側から略垂直方向に形成した係止部とからなり、前記外枠の載置面部と前記光透過性カバ−とに前記枠止め部材の頭部が貫通する貫通孔を設けるとともに、前記枠止め部材の係止部が係止される係止孔を前記器具本体に設け、前記保持枠を前記器具本体に前記枠止め部材で係止させた際、前記器具本体と前記保持枠との間隔が所定間隔以上狭くなることを防止する枠位置決め部材を前記器具本体または前記保持枠に設けたことを特徴とする。
【００２４】
さらに、請求項２の照明器具は、前記外枠と前記内枠との間に挟持される前記光透過性カバ−にずれ防止用パッキングを介在させて前記保持枠に取付けるとともに、前記外枠の外側面部と前記内枠の内側面部とを係止部材で固定して前記光透過性カバ−を前記保持枠に取付けたことを特徴とする。
【００２５】
また、請求項３の照明器具は、前記枠止め部材は、一方が略平坦面からなり前記内枠に当接する締付け操作用の頭部と、この頭部の略平坦面側から略垂直方向に軸部およびこの軸部より径大の係止部とを設け、前記内枠に複数の引掛舌片からなる菊座状係止孔を設け、前記枠止め部材の係止部を前記菊座状係止孔に挿通させ、前記枠止め部材の係止部を前記引掛舌片に上方から係止可能としたことを特徴とする。
【００２６】
【作用】
上記の請求項１記載の構成においては、枠止め部材の頭部は貫通孔の中に位置して器具本体に取付けられる。
【００２７】
さらに、器具本体と保持枠との固定は、内枠と器具本体とで固定するため、枠止め部材の締付力が直接光透過性カバ−に加わらない。
【００２８】
さらに、請求項２記載の構成においては、光透過性カバ−はずれ防止用パッキングを介して外枠と内枠とで挟持されて取付けられる。
【００２９】
また、請求項３記載の構成においては、枠止め部材を挿通して取付けられる内枠の菊座状係止孔が複数の引掛舌片で形成されているため、枠止め部材が脱落しようとする時には、引掛舌片に枠止め部材の係止部が係止される。
【００３０】
【実施例】
以下、図１ないし図６を参照して本発明の実施例を説明する。なお、従来技術と同一の構成は同一番号を付して説明する。
【００３１】
図１は本発明の一実施例に係る照明器具の構成を示す断面図である。
【００３２】
器具本体５１は下方開口した箱状に構成され、側面５１ａ下方で天井面７６と水平に内側方向に曲げられて水平片部６４を形成し、さらに、天井面７６に垂直下方に曲げられて立下り片部６５を形成し、中央部には天井面７６に照明器具２２を取付けるために設けた開口孔７３より小さい開口部５２が形成されている。さらに、器具本体５１の天面には、安定器などからなる点灯装置７４と器具本体５１の長手方向に対向して直管型ランプ５８を装着する一対のランプソケット７５が取付けられている。また、器具本体５１の片側に回転支持部材６９が取付けられている。この回転支持部材６９は蝶番からなり、図１、図４および図６に示すように、この蝶番は器具本体５１の片側に取付けられたヒンジ７０と後述する保持枠２１の一部を構成する外枠５５に取付けられたヒンジ７１とこれらヒンジ７０，７１に挿通したヒンジ軸７２とからなり、このヒンジ軸７２を支点として外枠５５と内枠１よりなる保持枠２１が回転可能に器具本体５１に取付けられている。
【００３３】
外枠５５は外周断面略Ｌ字状で、器具本体５１の側面５１ａに沿って外側面部６０が形成され、下面載置面部５９には、外枠５５と内枠１よりなる保持枠２１と器具本体５１を係止させる枠止め部材としての枠取付ねじ１０の頭部１１が挿通する貫通孔８が穿設され、外側面部６０には、外枠５５と内枠１とを固定する皿孔７が複数個形成されている。
【００３４】
外枠５５の載置面部５９の上面には、外枠５５の照射開口５７より大きく形成された光透過性カバ−５３が載置され、この光透過性カバ−５３にも枠取付ねじ１０の頭部１１より大きい貫通孔１４が複数個穿設されている。なお、貫通孔８，１４は、枠取付ねじ１０が、図２に示すように、座金付である場合には当然この座金が貫通する貫通孔が形成される。従って、枠取付ねじ１０の頭部１１とは、座金付の場合には座金を含む概念である。
【００３５】
この光透過性カバ−５３の上面と後述する保持枠２１の一部を構成する内枠１との間には、内枠１の内周下面に沿って厚み方向に弾性があるとともに、振動によって光透過性カバ−５３が外枠５５上を移動しない表面摩擦係数を有する、例えば、合成ゴム、ウレタンゴムで出来たずれ防止用パッキング２０が光透過性カバ−５３の上面に接着材で貼り付けられている。
【００３６】
内枠１は上方開口した断面略コ字状で、外枠５５内面全周に沿って形成され、内枠１は、光透過性カバ−５３をこれに貼付られたずれ防止用パッキング２０とともに外枠５５の載置面部５９とにより挟持する挟持部３と、外枠５５の外側面部６０の内面に当接する内側面部２と、挟持部３の内縁に設けられた立上り片部４とから構成されている。
【００３７】
さらに、内枠１の挟持部３には、外枠５５の貫通孔８と対向する位置に菊座状の係止孔５が設けられている。この係止孔５は、上方斜め方向に傾斜した複数の引掛舌片５ａからなり、この舌片５ａの内径は枠取付ねじ１０の軸部１２を内方に付勢する程度の形状に形成されている。
【００３８】
枠取付ねじ１０は下面に座金を一体に取付けた頭部１１とこの頭部１１と垂直方向に軸部１２を形成するとともに軸部１２の先端部に軸部１２の径より大きい外径の先端ねじ部１３からなる。
【００３９】
内枠１の係止孔５の下方から枠取付ねじ１０の先端ねじ部１３を挿通させると、係止孔５の引掛舌片５ａが外方に弾性変形する。さらに、先端ねじ部１３が引掛舌片５ａ部分を通り越すと、引掛舌片５ａは元の形状に復元するように内方に変形し、軸部１２に圧接する。このため、係止孔５の引掛舌片５ａの首下部１３ａに嵌まり、枠取付ねじ１０は内枠１から脱落することはない。
【００４０】
さらに、内枠１の内周部である立上り片部４と載置面部５９との全周には、断面略正方形をしたリング状の防塵用などのためのシ−ル用パッキング７７が接着材で貼付けられ、このシ−ル用パッキング７７の上面には、器具本体５１の立下り片部６５の最下端部が、図２に示すように、食込むようになっている。なお、内枠１には、立上り片部４がなくとも略同一の作用、効果を奏する。
【００４１】
また、内枠１の内側面部２には、外枠５５を固定するためのねじ孔６が複数個加工形成されている。
【００４２】
器具本体５１の他方側の立下り片部６５ｂの外面には、器具本体５１の一部を構成する枠位置決め部材１６が一体的に取付けられている。この枠位置決め部材１６は、立下り片部６５ｂの外面に取付けられる取付片部１６ａとこの取付片部１６ａの下端から外方に向けて器具本体５１の水平片部６４に沿って設けた水平片部１６ｂとこの水平片部１６ｂの外端から下方に向けて保持枠２１に略直角に当接する枠位置決め片部１６ｃから構成されている。また、水平片部１６ｂには、保持枠２１の係止孔５と対向した位置に枠取付ねじ１０の先端ねじ部１３が螺合するねじ孔２３が形成されている。
【００４３】
なお、枠位置決め部１６ｃは、内枠１の挟持部３から上方に向けて略直角方向に折曲げて、枠位置決め部材１６の水平片部１６ｂの裏面に当接させてもよい。また、枠位置決め部材１６の水平片部１６ｂを外方に延ばして内枠１の内側面部２の上端部と水平片部１６ｂの裏面に当接させる構造でもよい。即ち、枠取付ねじ１０を枠位置決め部材１６に締付け固定する際、器具本体５１と保持枠２１との間隔が所定間隔以上狭くなることを防止する構造であればよい。また、枠位置決め片部１６ｃは器具本体５１に設けてもよいし、保持枠２１に形成してもよい。
【００４４】
なお、枠取付ねじ１０は、先端ねじ部１３に代えて外方に突出した突部に形成するとともに、この突部の下方首部に引掛係止されるように、枠位置決め部材１６のねじ孔２３に代えて上方に突出した複数の引掛舌片に形成し、この引掛舌片の上端で枠取付ねじの突部の下方首部に引掛係止する構造でもよい。
【００４５】
次に上記実施例の組立て手順を説明する。
【００４６】
点灯装置７４などが取付けられた器具本体５１の長手方向の一方に取付けられたヒンジ７０と外枠５５を長手方向の一方に取付けられヒンジ７１を合わせてヒンジ軸７２をヒンジ７０、７１に形成された図番を付与しない挿入孔に挿入し、このヒンジ軸７２を支点として器具本体５１に外枠５５を回転可能に取付ける。
【００４７】
次ぎに、ずれ防止用パッキング２０が貼り付けられた光透過性カバ−５３を外枠５５の載置面部５９上に載置する。それから、ずれ防止用パッキング２０の上面にシ−ル用パッキング７７が貼り付けられた内枠１を載置する。
【００４８】
それから、外枠５５の皿孔７と内枠１のねじ孔６とを合わせてから係止部材からなる皿小ねじ９で内枠１のねじ孔６に螺合させて締付固定し、外枠５５の載置面部５９と内枠１の挟持部３とでずれ防止用パッキング２０が貼り付けられた光透過性カバー５３を固定する。
【００４９】
最後に、枠取付ねじ１０の先端ねじ部１３を外枠５５および光透過性カバ−５３の貫通孔８，１４に挿通させるとともに、係止孔５に圧入させる。それから、枠取付ねじ１０の先端ねじ部１３を枠位置決め部材１６のねじ孔２３に螺合させて保持枠２１を器具本体５１に締付固定する。枠取付ねじ１０の頭部１１は貫通孔８，１４の中に位置して器具本体５１に取付けられているため、保持枠２１の外部に露出しないので照明器具の外観を損なうことはない。
【００５０】
この枠取付ねじ１０を枠位置決め部材１６のねじ孔２３に締付けると、枠位置決め部材１６の枠位置決め部１６ｃの先端が内枠１の上面と当接して器具本体５１と保持枠２１との間隔を所定間隔に位置決めされる。これにより、外枠５５には枠取付ねじ１０の締付けによる外力が加わることがないため、外枠が変形することはない。
【００５１】
外枠５５と内枠１との固定は、外枠５５の外側面部６０と内枠１の内側面部２とでなされる。さらに、器具本体５１と保持枠２１の固定は、器具本体５１と保持枠２１の内枠１との間でなされるため、外枠５５の載置面部５９の上面に載置される光透過性カバ−５３には外力が加わらない。このため、光透過性カバ−にヒビが入ったり、割れたりなどの破損が発生することはない。
【００５２】
光透過性カバ−５３の保持枠２１への取付は、弾性があるとともに摩擦抵抗のある材料で作製されたずれ防止用パッキング２０が貼り付けられた光透過性カバ−５３を外枠５５と内枠１との間に挟み込んで外枠５５の側面から内枠１にねじ９止め固定されている。このため、照明器具２２に振動が加わっても、光透過性カバ−５３はずれ防止用パッキング２０が内枠１の挟持部３との間に摩擦抵抗を有するため、光透過性カバ−がずれて外枠と光透過性カバ−との間に隙間が生ずることはない。
【００５３】
なお、ずれ防止用シ−ルパッキング２０は実施例では光透過性カバ−５３の上面に貼りつけているが、光透過性カバ−５３の下面側に貼りつけても略同一の作用効果を奏する。
【００５４】
枠取付ねじけ１０は、内枠１の菊状係止舌片５ａに枠取付ねじけ１０の先端ねじ部１３の首下部１３ａに嵌まり込んで取付けられるので、器具本体から枠取付ねじが離脱して床などに落下し紛失することはない。
【００５５】
【発明の効果】
以上詳記したように請求項１記載の本発明は、枠止め部材の頭部は、貫通孔の中に位置して、外枠の外観に突出しないので、照明器具の外観を損なうことはない。
【００５６】
さらに、器具本体と保持枠との固定は、保持枠の一部を構成する内枠と器具本体とで固定するため、枠止め部材の締付力が直接光透過性カバ−に加わらず、光透過性カバ−にヒビが入ったり、割れたりなどの破損が発生することはない。
【００５７】
請求項２記載の本発明は、光透過性カバ−はずれ防止用パッキングを介して外枠と内枠とで挟持されて取付けられるので、振動などにより光透過性カバ−にずれが生じなることはない。
【００５８】
請求項３記載の本発明は、枠止め部材を挿通して取付けられる内枠の係止孔が菊座状の引掛舌片で形成されているため、この舌片に枠止め部材の係止部が係止されることで、枠止め部材が器具本体から離脱することがないなどの効果を有する。
【図面の簡単な説明】
【図１】本発明の一実施例に係る照明器具を示す断面図。
【図２】同実施例における枠取付構造を示す断面図。
【図３】同実施例における照明器具を分解した状態を示す斜視図。
【図４】同実施例における外枠を示す斜視図。
【図５】同実施例における外枠取付用の菊座形の取付孔を示す拡大上面図。
【図６】同実施例における光透過性カバ−を取着した枠を取外した照明器具を下方から見上げた状態を示す斜視図。
【図７】従来技術に係る照明器具を示す断面図。
【図８】従来技術に係る照明器具の回転支持部材であるヒンジを示す一部拡大図。
【図９】従来技術における枠取付構造を示す断面図。
【図１０】従来技術における照明器具を下方から見上げた状態を示す斜視図。
【符号の説明】
１…内枠（保持枠），２…内側面部，３…挟持部，５…菊座状係止孔，５ａ…引掛舌片，８…貫通孔，９…皿小ねじ（係止部材），１０…枠取付ねじ（枠止め部材），１１…頭部，１２…軸部，１３…先端ねじ部（係止部），１３ａ…首下部，１４…貫通孔，１６…枠位置決め部材，２０…ずれ防止用パッキング，２１…保持枠，２３…ねじ孔（係止孔），５１…器具本体，５３…光透過性カバ−，５５…外枠（保持枠），５７…開口，５９…載置面部，６０…外側面部。
【図１】
0003804083.tif 000002
【図２】
0003804083.tif 000003
【図３】
0003804083.tif 000004
【図４】
0003804083.tif 000005
【図５】
0003804083.tif 000006
【図６】
0003804083.tif 000007
【図７】
0003804083.tif 000008
【図８】
0003804083.tif 000009
【図９】
0003804083.tif 000010
【図１０】
0003804083.tif 000011